(57)【特許請求の範囲】
【請求項１】
内障子と外障子を備える複合サッシであって、内障子が、上框と下框を備え、上框と下框が、何れも室内側の樹脂部材と室外側の金属部材からなるものであり、上框の樹脂部材の上端に上取手を設けてあり、上取手は、板状で、上框の長手方向に延び室内側に突出していて上框の樹脂部材と一体に形成してあり、下框の樹脂部材の上端に下取手を設けてあり、下取手は、板状で、下框の長手方向に延び室内側に突出していて下框の樹脂部材と一体に形成してあり、内障子の開閉状態にかかわらず上取手と下取手の両方が使用できることを特徴とする上げ下げ窓。
【請求項２】
内障子と外障子を備える複合サッシであって、内障子が、上框と下框を備え、上框と下框が、何れも室内側の樹脂部材と室外側の金属部材からなるものであり、上框の樹脂部材の上端に上取手を設けてあり、上取手は、上框の長手方向に延び室内側に突出していて上框の樹脂部材と上面が同一面で一体に形成してあり、下框の樹脂部材の上端に下取手を設けてあり、下取手は、下框の長手方向に延び室内側に突出していて下框の樹脂部材と一体に形成してあり、内障子の開閉状態にかかわらず上取手と下取手の両方が使用できることを特徴とする上げ下げ窓。
【発明の詳細な説明】
【技術分野】
【０００１】
本発明は、内障子と外障子を備える上げ下げ窓に関する。
【背景技術】
【０００２】
非特許文献１に示すように、従来の上げ下げ窓においては、内障子（可動障子）の下框の中央に取手を取り付けてあった。
【先行技術文献】
【非特許文献】
【０００３】
【非特許文献１】「マディオＪ・Ｍ総合カタログ２０１３−２０１４（ＳＴＪ０８３１Ａ）」、三協立山株式会社、２０１３年２月、ｐ．６３２
【発明の概要】
【発明が解決しようとする課題】
【０００４】
しかしながら、このような上げ下げ窓においては、窓台に物を置くと、取手が物の後側に隠れてしまうので、操作性が悪かった。
【０００５】
本発明は、上記事情を鑑みたものであり、操作性のよい上げ下げ窓を提供することを目的とする。
【課題を解決するための手段】
【０００６】
本発明のうち請求項１記載の発明は、内障子と外障子を備える複合サッシであって、内障子が、上框と下框を備え、上框と下框が、何れも室内側の樹脂部材と室外側の金属部材からなるものであり、上框の樹脂部材の上端に上取手を設けてあり、上取手は、板状で、上框の長手方向に延び室内側に突出していて上框の樹脂部材と一体に形成してあり、下框の樹脂部材の上端に下取手を設けてあり、下取手は、板状で、下框の長手方向に延び室内側に突出していて下框の樹脂部材と一体に形成してあり、内障子の開閉状態にかかわらず上取手と下取手の両方が使用できることを特徴とする。
【０００７】
本発明のうち請求項２記載の発明は、内障子と外障子を備える複合サッシであって、内障子が、上框と下框を備え、上框と下框が、何れも室内側の樹脂部材と室外側の金属部材からなるものであり、上框の樹脂部材の上端に上取手を設けてあり、上取手は、上框の長手方向に延び室内側に突出していて上框の樹脂部材と上面が同一面で一体に形成してあり、下框の樹脂部材の上端に下取手を設けてあり、下取手は、下框の長手方向に延び室内側に突出していて下框の樹脂部材と一体に形成してあり、内障子の開閉状態にかかわらず上取手と下取手の両方が使用できることを特徴とする。
【発明の効果】
【０００８】
本発明によれば、窓を開ける際には、上取手を使用することで、窓台に物を置いてあっても操作しやすい。また、窓を閉める際には、下取手を使用することで、内障子が高い位置にあっても操作しやすい。そして、複合サッシであるから、断熱性が高い。
【図面の簡単な説明】
【０００９】
【図１】本発明の上げ下げ窓の縦断面図である。
【図２】本発明の上げ下げ窓の横断面図である。
【図３】内障子の上框部分の縦断面図である。
【図４】内障子の上框の拡大縦断面図である。
【図５】内障子の下框部分の縦断面図である。
【図６】内障子の下框の拡大縦断面図である。
【発明を実施するための形態】
【００１０】
以下、本発明の実施の形態を図面に基づいて説明する。図１及び図２に示すように、この上げ下げ窓は、横枠２０１と縦枠２０２を四周枠組みした枠体内に、内障子１０１と外障子１０２を納めてある。内障子１０１は、枠体内を上下動する可動障子であって、閉鎖時は枠体の下部に位置する。一方、外障子１０２は固定障子であって、枠体の上部に位置する。そして、内障子１０１と外障子１０２は、何れも四周の框の内周側にガラスパネルを嵌め込んだものであって、各框が室内側の樹脂部材と室外側の金属部材からなる複合サッシとなっている。なお、右側の縦枠２０２の内部には、内障子１０１を任意の位置で固定するためのバランサー１０３を設けてある。また、横枠２０１及び縦枠２０２の室内側には、額縁３０１を設けてある。
【００１１】
続いて、内障子１０１について詳述する。内障子１０１は、上框１と、下框５と、左右の縦框９を四周框組みして、その内周側にガラスパネル１０を嵌め込んだものである。上框１と下框５と縦框９は、何れも室内側の樹脂部材２，６，９１と、室外側の金属部材３，７，９２からなる。
【００１２】
図３及び図４に示すように、上框１の樹脂部材２は、断面が矩形の樹脂部材本体部２１を有しており、樹脂部材本体部２１は、中空で上下に延びる二枚の壁面によって略等間隔に仕切られており、室内外方向に並ぶ三つの中空部２２ａ，２２ｂ，２２ｃを形成してある。三つの中空部２２ａ，２２ｂ，２２ｃは、何れも樹脂部材本体部２１の上側面を一部としており、何れも縦長形状である。また、樹脂部材本体部２１の室外側下部には、略Ｊ字形の室内側係合部２３を形成してある。さらに、樹脂部材本体部２１の上側面は室外側に向けて延出しており、延出部分の下面には二つの垂下片２４を形成してあり、さらに室外側端にはタイト材ホルダ２５を形成してあって、タイト材２５ａを取り付けてある。このタイト材２５ａは、内障子１０１の閉鎖時において、外障子１０２に当接する。さらに、タイト材ホルダ２５の下側には、略Ｃ字形の室外側係合部２６を形成してある。また、樹脂部材本体部２１の下面の室内側端部には、断面矩形で中空の、ガラス間口の室内側側壁２７を形成してある。そして、樹脂部材本体部２１の上端の室内側部に、室内側に向けて水平に突出する上取手４を形成してある。上取手４は、見込寸法が樹脂部材本体部２１の見込寸法と略等しく、上框１の長手方向の略全長にわたって延びており、樹脂部材本体部２１（樹脂部材２）と一体で、かつ樹脂部材本体部２１の上側面（中空部２２ａ，２２ｂ，２２ｃの上側面）と連続して形成してある。なお、上取手４の室内側端部は、下向きに傾斜している。また、樹脂部材２の上側面の長手方向中央部には、クレセント錠１１を取り付けてある。このクレセント錠１１は、内障子１０１の閉鎖時において、外障子１０２の下部に設けた錠受部１１ａに係合して施錠されるものである。一方、上框１の金属部材３は、断面が矩形の室内側下部を切欠いた形状の金属部材本体部３１を有しており、金属部材本体部３１は中空で、室内側面が下側に突出して室外側に屈曲した室内側受部３２と、上側面が室外側に突出した室外側受部３３を形成してある。また、下面の室外側端部から下側に向けてガラス間口の室外側側壁３４が延びている。そして、樹脂部材２の室内側係合部２３を金属部材３の室内側受部３２に係合させ、樹脂部材２の室外側係合部２６を金属部材３の室外側受部３３に係合させて、樹脂部材２と金属部材３を一体に連結してある。この際、樹脂部材２の垂下片２４が金属部材本体部３１の上側面に当接する。また、樹脂部材２の室内側側壁２７と金属部材３の室外側側壁３４が室内外に対向する。さらに、樹脂部材本体部２１の下側面と金属部材本体部３１の下側面が面一となり、ガラス間口の底壁となる。そして、このようにして樹脂部材２と金属部材３により構成した上框１の、室内側側壁２７と室外側側壁３４の間に、グレイジングチャンネル１２を取り付けたガラスパネル１０を嵌め込んで取り付けてある。
【００１３】
また、図５及び図６に示すように、下框５の樹脂部材６は、断面が室内側と下側に向けて延びる略Ｌ字形の樹脂部材本体部６１を有しており、樹脂部材本体部６１は、中空で上下に延びる二枚の壁面によって略等間隔に仕切られており、室内外方向に並ぶ三つの中空部６２ａ，６２ｂ，６２ｃを形成してある。三つの中空部６２ａ，６２ｂ，６２ｃは、何れも樹脂部材本体部６１の上側面を一部としており、特に中央と室外側の中空部６２ｂ，６２ｃは縦長形状である。また、樹脂部材本体部６１の室外側上部には、略Ｊ字形の上側係合部６３を形成してある。さらに、樹脂部材本体部６１の室外側下部には、略Ｌ字形の下側係合部６４を形成してある。また、樹脂部材本体部６１の上面の室内側端部には、断面矩形で中空の、ガラス間口の室内側側壁６５を形成してある。そして、室内側側壁６５の上端の室内側部に、室内側に向けて突出する下取手８を形成してある。下取手８は、見込寸法が樹脂部材本体部６１の見込寸法と略等しく、下框５の長手方向の略全長にわたって延びており、室内側側壁６５（樹脂部材６）と一体で、かつ中空の室内側側壁６５の上側面と連続して形成してある。なお、下取手８は、その基端部から室内側に向けて上向きに傾斜しており、途中で屈曲して室内側端部は下向きに傾斜している。一方、下框５の金属部材７は、断面が矩形の室内側上部を切欠いた形状の金属部材本体部７１を有している。金属部材本体部７１は中空で、室内側上部に略Ｌ字形の上側受部７２を形成してあり、室内側面が下側に延出していてその室内側面に略Ｌ字形の下側受部７３を形成してある。また、上面の室外側端部から上側に向けてガラス間口の室外側側壁７４が延びている。そして、樹脂部材６の上側係合部６３を金属部材７の上側受部７２に係合させ、樹脂部材２の下側係合部６４を金属部材７の下側受部７３に係合させて、樹脂部材６と金属部材７を一体に連結してある。この際、樹脂部材６の室内側側壁６５と金属部材７の室外側側壁７４が室内外に対向する。また、樹脂部材本体部６１の上側面と金属部材本体部７１の上側面が面一となり、ガラス間口の底壁となる。よって、樹脂部材６の三つの中空部６２ａ，６２ｂ，６２ｃは、何れもガラス間口の底壁を一部とする。そして、このようにして樹脂部材６と金属部材７により構成した下框５の、室内側側壁６５と室外側側壁７４の間に、グレイジングチャンネル１２を取り付けたガラスパネル１０を嵌め込んで取り付けてある。
【００１４】
このように構成した本発明の上げ下げ窓によれば、内障子１０１を開ける際には、上框１の上取手４を使用することで、下側の額縁３０１（窓台）に植木鉢などの物を置いてあっても操作しやすい。この際の操作をより詳しく説明すると、まず、内障子１０１の上框１に設けたクレセント錠１１を開錠し、その近傍の上取手４に手を掛けて内障子１０１を上昇させる。そして、下框５が植木鉢などの物よりも上側まで上昇してきたら、下取手８に手を掛けてさらに内障子１０１を上昇させる。このようにすることで、内障子１０１の開放操作を短い作業動線で連続的に行うことができる。また、特に大開口の上げ下げ窓においては、内障子１０１の上下ストロークが大きくなるので、従来のように下框の取手のみで操作する場合、腰を大きく屈曲することになり操作者の負担が大きかったが、本発明によれば、上取手４と下取手８を続けて使用することで、腰の屈曲を小さくして負担を軽減できる。さらに、内障子１０１を閉める際には、開ける際と逆の操作をすればよく、下取手８を使用することで、内障子１０１が高い位置にあっても操作しやすい。そして、この上げ下げ窓は複合サッシであるから、断熱性が高い。特に、上框１においては、樹脂部材２の三つの中空部２２ａ，２２ｂ，２２ｃが室内外方向に並んで金属部材本体部３１の見付面を覆っており、下框５においても、樹脂部材６の三つの中空部６２ａ，６２ｂ，６２ｃが室内外方向に並んで金属部材本体部７１の見付面を覆っているので、何れにおいても室内側に伝達する冷気を効果的に抑制できる。また、上框１及び下框５の何れにおいても、三つの中空部２２ａ〜ｃ，６２ａ〜ｃの見込寸法が均等であり、各中空部２２ａ〜ｃ，６２ａ〜ｃの体積が小さく、対流する空気の量が少ないので、より熱が伝わりにくく、断熱性が高い（不均等の場合、何れかの中空部の体積が大きくなり、その中空部では対流する空気の量が多いので、熱が伝わりやすくなってしまう）。
【００１５】
また、内障子１０１の上框１は、召合框として風圧に抵抗するための主要部材となるが、上取手４を室内側に突出させてあることで、上框１の見込寸法が大きくなり、それに伴って上框１の断面二次モーメントも大きくなっているので（見込寸法の約三乗に比例する）、たわみにくく、耐風圧性能が高い。さらに、上取手４は樹脂部材本体部２１の上側面（中空部２２ａ，２２ｂ，２２ｃの上側面）と連続して形成してあり、下取手８は中空の室内側側壁６５の上側面と連続して形成してあるので、何れも取手自体の強度が高い。また、上取手４と下取手８は、それぞれ上框１と下框５の長手方向の略全長にわたって延びており、内障子１０１の幅方向のどの場所からでも操作できるので、利便性が高い。
【００１６】
さらに、上框１の樹脂部材２の中央の中空部２２ｂ及び室外側の中空部２２ｃは、上取手４の基端部から室内外方向に離隔した位置にあり、かつ上取手４と連続する樹脂部材本体部２１の上側面を一部としている。すなわち、これらの中空部２２ｂ，２２ｃは、上取手４に働く回転モーメント荷重に対して、室内側の中空部２２ａを中心として室内外方向に対称な位置にある。よって、中空部２２ｂ，２２ｃの位置に非中空形状（閉じた空間を有さない形状）の部位を形成した場合と比較して、上取手４操作時に伝達される回転モーメント荷重に対して樹脂部材２（上框１）の変形を効果的に抑制できる。さらに、中空部２２ａ，２２ｂ，２２ｃがそれぞれ縦長形状で、上下方向（回転モーメント荷重が働く方向であり、すなわち樹脂部材２が変形しようとする方向）に厚みがあるので、回転モーメント荷重に対して樹脂部材２（上框１）の変形を効果的に抑制できる。また、下框５の樹脂部材６の中央の中空部６２ｂ及び室外側の中空部６２ｃは、ガラス間口の室内側側壁６５の下側の室外側にずれた位置にあり、かつガラス間口の底壁（樹脂部材本体部６１の上側面）を一部としている。すなわち、これらの中空部６２ｂ，６２ｃは、下取手８に働く回転モーメント荷重に対して、下取手８と連続する室内側側壁６５を中心として室内外方向及び上下方向に対称な位置にある。よって、中空部６２ｂ，６２ｃの位置に非中空形状（閉じた空間を有さない形状）の部位を形成した場合と比較して、下取手８操作時に伝達される回転モーメント荷重に対して樹脂部材６（下框５）の変形を効果的に抑制できる。さらに、回転モーメント荷重に対して対称な位置にある中央及び室外側の中空部６２ｂ，６２ｃがそれぞれ縦長形状で、上下方向（回転モーメント荷重が働く方向であり、すなわち樹脂部材６が変形しようとする方向）に厚みがあるので、回転モーメント荷重に対して樹脂部材６（下框５）の変形を効果的に抑制できる。また、上框１の三つの中空部２２ａ，２２ｂ，２２ｃと、下框５の三つの中空部６２ａ，６２ｂ，６２ｃは、何れも一体に形成されたものであるから、ガタツキがなく、より上取手４及び下取手８の強度が向上する。そして、上框１及び下框５の中空部２２ａ〜ｃ，６２ａ〜ｃは、それぞれ見込寸法が均等であるから、回転モーメント荷重が働いた際に応力が集中しない。このように、上框１及び下框５の樹脂部材２，６にそれぞれ室内外方向に並ぶ三つの中空部２２ａ〜ｃ，６２ａ〜ｃを設けたことにより、上取手４（上框１）及び下取手８（下框５）の強度と断熱性の両方を効果的に向上させている。そして、上取手４及び下取手８の変形を抑制することで、操作者に安心感を与えることができる。また、特に下框５において、室内側側壁６５が室内側へ倒れるように変形することを抑制するので、ガラスパネル１０と室内側側壁６５との密着が損なわれて水密性能が低下することを防止できる。
【００１７】
そして、上取手４は室内側端部が下向きに傾斜しているので、内障子１０１の閉鎖状態において、下側から指を掛けやすい。一方、下取手８は基端部から室内側に向けて上向きに傾斜しているので、内障子１０１の開放状態において、上側から指を掛けやすい。よって、上框１の上取手４は、内障子１０１を開き始める時に力を加えやすく、下框５の下取手８は、内障子１０１を閉じ始める時に力を加えやすくなっており、これらの上取手４と下取手８を併せ持つので操作性がよい。また、上取手４は、基端部から室内側に向けて水平に延び室内側端部が下向きに傾斜した形状なので、上框１の上面にたまったホコリなどを容易に払い落とすことができる。さらに、下取手８は、基端部から室内側に向けて上向きに傾斜しているので、内障子１０１に結露水が生じた場合に、下取手８が結露水を受け止め、額縁３０１などへ流れ出すことを防ぐ。なお、下取手８の両端部には、水を塞き止めるためのキャップを設けることが望ましい。
【００１８】
本発明は、上記の実施形態に限定されない。たとえば、上框及び下框において、樹脂部材や金属部材の断面形状や、上取手及び下取手の形状は、上記の要件を満たすものであれば、どのようなものであってもよい。また、この上げ下げ窓は、内障子のみが開閉する片上げ下げ窓であってもよいし、内障子と外障子の両方が開閉する両上げ下げ窓であってもよい。さらに、上框及び下框の樹脂部材本体部は、均等に分割して室内外方向に並ぶ中空部を形成することが望ましく、分割数はいくつでもよいが、細かく分割するほど、より樹脂部材（上框及び下框）の変形を抑制できる。
【符号の説明】
【００１９】
１  上框
２  樹脂部材（上框）
３  金属部材（上框）
４  上取手
５  下框
６  樹脂部材（下框）
７  金属部材（下框）
８  下取手
１０１  内障子
１０２  外障子
【図１】
0006495052.tif 000002
【図２】
0006495052.tif 000003
【図３】
0006495052.tif 000004
【図４】
0006495052.tif 000005
【図５】
0006495052.tif 000006
【図６】
0006495052.tif 000007